(57)【要約】【課題】パネル状断熱構造体を形成した断熱マットを施工性よく取り付け、効果の高い簡易な断熱工法で、安価に迅速に施工できる断熱マット取付具の提供。【解決手段】パネル状断熱構造体を形成した断熱マット１を家の屋根架構材９に取り付けるための断熱マット取付具２であって、雄取付具３ａと雌取付具３ｂの組み合わせで形成され、雄取付具と雌取付具のいずれか一方を断熱マットに取り付け、他方を家の屋根架構材の下面に取り付けて、この雄取付具と雌取付具の嵌め合いによって断熱マットを屋根架構材の下面に取り付けるようにした。【選択図】      図１
2004346658.tif 000002
【特許請求の範囲】
【請求項１】
パネル状断熱構造体を形成した断熱マットを家の屋根架構材に取り付けるための断熱マット取付具であって、
戻り防止爪を有した起立片からなる突き刺し針部と、屋根架構材への取付手段とを有し、
前記突き刺し針部を断熱マットに突き刺すと共に、前記取付手段で断熱マットを屋根架構材に取り付けるようにしたことを特徴とする断熱マット取付具。
【請求項２】
パネル状断熱構造体を形成した断熱マットを家の屋根架構材に取り付けるための断熱マット取付具であって、
雄取付具と雌取付具の組み合わせで形成され、
雄取付具と雌取付具のいずれか一方を断熱マットに取り付け、他方を家の屋根架構材の取り付けて、この雄取付具と雌取付具の嵌め合いによって断熱マットを屋根架構材に取り付けるようにしたことを特徴とする断熱マット取付具。
【請求項３】
請求項１又は２記載の断熱マット取付具において、取付具の断熱マットへの取り付け手段又は／及び屋根架構材への取り付け手段として、２種類以上の取り付け手段を併存させている断熱マット取付具。
【請求項４】
請求項２記載の断熱マット取付具において、雄取付具と雌取付具の嵌め合い接触部に樹脂系素材を介在させるようにした断熱マット取付具。
【請求項５】
請求項１〜４のいずれかに記載の断熱マット取付具において、取り付け対象となる断熱マットが、少なくとも片面を低放射率面に形成されたシートを２層以上で周囲の一部又は全周を接合すると共に、各シート間に支持材を介在させることでシート間に空隙を形成させてシート同士の面接触を防止させるようにしたパネル状断熱構造体に形成されている断熱マット取付具。
【発明の詳細な説明】
【０００１】
【発明の属する技術分野】
本発明は、太陽により加熱された家屋外殻からの熱が、直接、もしくは内装材を介して室内へ伝達することを抑制するために用いられる断熱マット（パネル状断熱構造体）を取り付けの対象とし、特に、この断熱マットを既築家屋の屋根架構材に取り付けるための断熱マット取付具に関する。
【０００２】
【従来の技術】
近年、省エネルギーの観点から住宅の高断熱化が重要となってきている。断熱対象となる部位は、屋根、壁、床などがあるが、特に夏季の日中の屋根断熱が室内温度の低減には有効である。以下、理解を容易にするために、家屋外殻からの入熱の内、大半を占める屋根からの断熱に的を絞って説明する。
【０００３】
従来、断熱材に工夫を凝らすことで断熱性能を上げることが、盛んに開発されてきた。
古くから用いられている方法として、天井板の上にグラスウールなどで形成された断熱材を敷設する方法がよく用いられている（従来技術１）。
【０００４】
また、屋根断熱を目的として、セメント系板材に断熱材と反射材を積層して断熱性に優れた屋根材とした技術がある（特許文献１参照）。
【０００５】
さらに、壁や屋根パネル裏面に断熱材を貼り、前記断熱材を覆うシートを内面に隙間を持たせて設けて鉛直方向に繋がる空間を作り、外部からの断熱と空気温度差による前記空間でのトンネル効果気流による冷却を狙った技術が提案されている（特許文献２参照）。
【０００６】
また、壁から屋根に連なる高気密のアルミニュウム被覆断熱ボードを、外壁および屋根との間に通気層を形成するように設けて、家屋の外郭を二重壁構造とする高気密高断熱家屋の提案がされている（特許文献３参照）。
【０００７】
また、アルミ箔やアルミ蒸着を積層したシートを複数層重ね、起立片でシート間に空間通気層を作り、断熱を行うようにした技術が知られている（特許文献４参照）
【０００８】
【特許文献１】
特許第３０３０４２９号公報
【０００９】
【特許文献２】
特開平９−１５８３５３号公報
【００１０】
【特許文献３】
実用新案登録第３００９５１２号公報
【００１１】
【特許文献４】
特許第３２２７１４０号公報
【００１２】
従来技術１は、天井裏に単に置くだけの施工であるため、簡便であり、非常によく用いられているが、微細ファイバーを用いるため、どうしても肌を刺すチカチカ感や繊維の飛散の惧れがあり、また、輻射熱に対しては遮熱性が十分ではない。
【００１３】
また、特許文献１〜４に記載された従来技術は、いずれも、材としての工夫はなされているが、取付工事の工夫が不十分で、施工に時間を要し、特に既築家屋に後施工として適用することは難しい。
【００１４】
【発明が解決しようとする課題】
以上説明したように、従来の断熱技術は、材や構造の工夫に偏り、施工技術の改善がおろそかになっており、結局は時間とコストに問題点を残し、また、柔軟な適用が困難である等の問題点も生じていた。
【００１５】
本発明は、上記の点に鑑みてなされたもので、パネル状断熱構造体を形成した断熱マットを施工性よく取り付け、効果の高い簡易な断熱工法で、安価に迅速に施工できる断熱マット取付具を提供することを課題としている。
【００１６】
特に、夏場の室温上昇対策では屋根からの入熱抑制が最も有効であるが、安価な断熱工法が実現できていなかった。
本発明によれば、屋根直下で断熱マットを並列配置する要領で敷設することが容易に行え、安価に、かつ、既存家屋に後施工することも容易な施工を可能にする。
【００１７】
屋根裏断熱工事は狭いうえに障害物が多くあり、時としては高所作業となるので、施工が簡便で、寸法許容精度が大きいもの、狭い空間への搬入と広い面積への取り付けが容易で、低い寸法精度で施工しても遮熱性能が低下しないものであることが、非常に重要で、本発明はこれを可能にしたものである。
【００１８】
【課題を解決するための手段】
上記の課題を解決するために、本発明の断熱マット取付具（請求項１）は、
パネル状断熱構造体を形成した断熱マットを家の屋根架構材に取り付けるための断熱マット取付具であって、
戻り防止爪を有した起立片からなる突き刺し針部と、屋根架構材への取付手段とを有し、
前記突き刺し針部を断熱マットに突き刺すと共に、前記取付手段で断熱マットを屋根架構材に取り付ける構成とした。
【００１９】
又、本発明の断熱マット取付具（請求項２）は、
パネル状断熱構造体を形成した断熱マットを家の屋根架構材に取り付けるための断熱マット取付具であって、
雄取付具と雌取付具の組み合わせで形成され、
雄取付具と雌取付具のいずれか一方を断熱マットに取り付け、他方を家の屋根架構材に取り付けて、この雄取付具と雌取付具の嵌め合いによって断熱マットを屋根架構材に取り付ける構成とした。
【００２０】
又、本発明の断熱マット取付具（請求項３）は、
前記請求項１又は２記載の断熱マット取付具において、取付具の断熱マットへの取り付け手段又は／及び屋根架構材への取り付け手段として、２種類以上の取り付け手段を併存させている態様になっている。
【００２１】
又、本発明の断熱マット取付具（請求項４）は、
前記請求項２記載の断熱マット取付具において、雄取付具と雌取付具の嵌め合い接触部に樹脂系素材を介在させるようにした態様になっている。
【００２２】
又、本発明の断熱マット取付具（請求項５）は、
前記請求項１〜４のいずれかに記載の断熱マット取付具において、取り付け対象となる断熱マットが、少なくとも片面を低放射率面に形成されたシートを２層以上で周囲の一部又は全周を接合すると共に、各シート間に支持材を介在させることでシート間に空隙を形成させてシート同士の面接触を防止させるようにしたパネル状断熱構造体に形成されている態様になっている。
【００２３】
【発明の実施の形態】
屋根裏での断熱は、屋根裏面を形成する広い面積に、断熱マットを並べて敷設することが必要であり、これらの断熱マットを隙間なく、安全・迅速に敷設する工法が必要である。
また、断熱マットはその表面を瓦や野地板などの熱を伝える部材に面接触させると、接触伝熱が生じて断熱性能が落ちるので、極力これらの部材と面接触しない取付構造とすることが望ましい。
【００２４】
以上の機能を達成するには、断熱マット取付具を雄取付具と雌取付具の組み合わせで形成し、一方を断熱マットに、他方を屋根架構材（垂木等）に取り付け、雄取付具と雌取付具をはめ込んで懸架する構成とすると、施工が安全・迅速かつ容易であることを、本発明者は種々の施工試験で見い出した。
【００２５】
この場合、施工後の家屋の静音性も重要であり、断熱マット取付具となる雄取付具及び雌取付具を生産が容易な金属成形加工品とすると、強風時などに断熱マットが揺れ、多数敷設した断熱マットからきしみ音が発生するので、雄取付具と雌取付具の嵌め合い接触部に樹脂などの非金属コーティング（樹脂系素材を介在させる）をすると、消音効果が大である。
非金属コーティングとしては、樹脂を予めコーティングした鋼板を使用してプレス成形してもよいし、未樹脂コート鋼板で取付具をプレス成形した後に対象部位に部分コーティングしてもよい。
【００２６】
以上の構成で、断熱マット取付具を極力簡易に施工可能な構成とすることが重要で、できれば工具を用いずに、断熱マット取付具の断熱マットへの接合が可能であることが望ましく、断熱マット素材をシート状物で構成し、断熱マット取付具に針状物を設けて、突き刺すだけで断熱マット取付具の取り付けが可能となれば最も好ましい。但し、単に突き刺すだけでは、引き抜き力が働くと針が抜け、断熱マット取付具の保持が確実には行えないので、戻り防止爪（抜け方向の引っ掛かり）を設けることが有効である。
【００２７】
また、断熱マット取付具の取り付け状態や、対象となる断熱マットの素材や取り付け方向、および、家屋根架構材の堅さなどが千差万別なので、簡易迅速な取り付け機構と、少し手間はかかっても確実な取り付け機構を併存させ、状況に応じてこれらを選択・使い分けられるようにすると施工効率を高くすることができる。
例えば、断熱マットへの断熱マット取付具（雌雄どちらでもよい）の接合を、常用は戻り防止爪付きの針を用いた人手による突き刺しで行い、斜め取り付けや大きな外力が掛かることが予想される部位では、ビスで取り付けを行うことができるようにビス穴を併存させる。
また、断熱マット取付具の家屋根架構材への取り付けにおいても、通常はコ状針の打ち込み（市場ではタッカーと称す）で行える構成とし、堅い木材や節上に取り付けが必要な場合には、ビスで取り付けができるようにビス穴を併存させるなど、複数の取り付け機構を取付具に併存させて、状況に応じて取り付け方法を選択できることの効果は大きい。
【００２８】
【実施例】
以下説明を容易にするために、図を用いて実施例を示す。
図１は断熱マット取付具の第１実施例を示す斜視図、図２はこの断熱マット取付具を用いて断熱マットを屋根架構材に取り付けた状態の断面図である。
【００２９】
図において、１は断熱マットで、この断熱マット１は、柔軟性を有する２枚のシート１０，１０を両端にシート張出部１１，１１を形成させるように溶着接合すると共に、各シート１０，１０間に補強材を兼ねた棒状の支持材１２を着脱可能に介在させたもので、この支持材１２によりシート１０，１０間に空隙Ｓを形成させることでシート１０，１０同士の面接触を防止させるようにしている。
この場合、シート１０としては、合成繊維やガラス繊維で織られた丈夫なシート本体の両面にアルミペイントが塗布されて、表面・裏面ともに低放射率面に形成されている。もし、片面のみが低放射率面に形成されたシートであれば、太陽熱の入熱側の放射率を低くすることが肝要なので、低放射率面を屋根面方向（上面）にする。
【００３０】
そして、前記断熱マット１を多数個用意し、これらを断熱マット取付具２により屋根架構材としての垂木９の下面に９ａに取り付けて、断熱マット１と屋根裏面９０との間に垂木９の高さに対応した空隙Ｓ１を保持すると共に、天井との間にも空隙を保持した状態で、屋根裏面９０とほぼ平行に敷設するようにしている。
このように、断熱マット１と屋根裏面９０との間に空隙Ｓ１を保持させるように断熱マット１を取り付けることが、低放射率面を利用した断熱構造においては必要な構成となる。
なお、断熱マット１と屋根裏面９０との間に空隙Ｓ１を保持させることができれば、断熱マット１を必ずしも断熱マット取付具２により垂木９の下面に９ａに取り付ける必要はなく、垂木９の側面に取り付けるようにしてもよい。
【００３１】
次に、前記断熱マット取付具２は、鋼板等の金属板をＬ字状に折り曲げ、一方の片２０に戻り防止爪２１を有した起立片からなる突き刺し針部２２を形成し、他方の片２３に垂木９への取付手段としてビス穴２４を形成している。
この場合、他方の片２３には、取付手段としてのビス穴２４と併存するように、２個の長穴２５を形成してタッカー留め部２６が形成され、状況に応じて、ビス穴２４とタッカー留め部２６とのいずれか一方又は両方を取付手段として使用できるようにしている。
【００３２】
そして、図２に示すように、前記突き刺し針部２２を断熱マット１の支持材１２に押し込んで突き刺すと共に、前記タッカー留め部２６を長穴２５，２５に通したコ状針１７で垂木９の下面に取り付けることにより、断熱マット１を垂木９に取り付けるようにしている。
【００３３】
次に、図３は断熱マット取付具の第２実施例を示す斜視図、図４はこの断熱マット取付具を用いて断熱マットを屋根架構材に取り付けた状態の断面図である。
【００３４】
この断熱マット取付具３は、雄取付具３ａと雌取付具３ｂの組み合わせで形成されている。
雄取付具３ａは、鋼板等の金属板をＬ字状に折り曲げ、一方の片３０に戻り防止爪３１を有した起立片からなる突き刺し針部３２を形成し、他方の片３３の先端に雌取付具３ｂとの間で嵌め合うフック部３４が形成されている。
このフック部３４は、他方の片３３の先端を下面側に折り返すことで形成されている。
【００３５】
又、他方の片３３には、取付手段としてのビス穴３５と併存するように、２個の長穴３６，３６を形成してタッカー留め部３７が形成されている。
このように、雄取付具３ａは、前記第１実施例で示した断熱マット取付具２と比べ、他方の片３３の先端に形成したフック部３４の有無で構造が相違しただけである。
従って、この雄取付具３ａを、第１実施例で示した断熱マット取付具２として使用することが可能になる。
【００３６】
雌取付具３ｂは、鋼板等の金属板をＬ字状に折り曲げ、一方の片３８に取付手段としてのビス穴３９と併存するように、細幅部によるタッカー留め部４０が形成され、他方の片４１には、前記雄取付具３ａとの間で嵌め合う受け部４２が形成されている。
また、この雌取付具３ｂの受け部４２には、樹脂コーティング４３が施されている。
【００３７】
上記のように、雄取付具３ａと雌取付具３ｂの組み合わせで形成した断熱マット取付具３では、図３のように、雌取付具３ｂをビス穴３９又は／及びタッカー留め部４０において先に垂木９に取り付けておく。
また、別途に、突き刺し針部３２を断熱マット１の傾斜上端側において支持材１２に押し込んで突き刺し、この雄取付具３ａを取り付けた状態の断熱マット１を準備する。
そして、雄取付具３ａのフック部３４と雌取付具３ｂの受け部４２を嵌め合わせれば、簡単に断熱マット１を垂木９に懸架状態に取り付けができる。
その後、新たな雌取付具３ｂを前記の断熱マット１の傾斜下端側において、シート張出部１１を抑えながら垂木９に取り付けると、該断熱マット１の垂木９への平行取り付けとともに、次の段のための雌取付具３ｂが準備できたことになり、以下、同手順を繰り返して下段方向に順に断熱マット１を敷設していくことが容易にできる。
【００３８】
また、この断熱マット取付具３では、雄取付具３ａにも雌取付具３ｂにも、ビス穴３５，３９およびタッカー留め部３７，４０を併存させており、状況に応じてより確実な取り付けができるようにしている。
また、雌取付具３ｂの受け部４２に樹脂コーティング４３を施しているため、断熱マット１が揺れた時の雄取付具３ａと雌取付具３ｂとのこすれ音の低減を図ることができる。
【００３９】
次に、図５は断熱マット取付具の第３実施例を示す斜視図、図６はこの断熱マット取付具を用いて断熱マットを屋根架構材に取り付けた状態の断面図である。
【００４０】
この断熱マット取付具５は、雄取付具５ａと雌取付具５ｂの組み合わせで形成され、雌取付具５ｂに押え片５０が形成され、雄取付具５ａの先端に差し込み部５１がＵ字状に形成されている。
この断熱マット取付具５では、雌取付具５ｂをビス穴５２又は／及びタッカー留め部５３において先に垂木９に取り付けておく。
また、別途に、突き刺し針部５４を断熱マット１の傾斜下端側において支持材１２に押し込んで突き刺し、この雄取付具５ａを取り付けた状態の断熱マット１を準備する。
そして、雄取付具５ａの差し込み部５１を雌取付具５ｂの押え片５０の下側に窮屈に嵌め合わせれば、簡単に断熱マット１を垂木９に懸架状態に取り付けができる。
この場合、断熱マット１の敷設を下から上に向かって行うと施工が容易である。
【００４１】
次に、図７は断熱マット取付具の第４実施例を示す斜視図、図８はこの断熱マット取付具を用いて断熱マットを屋根架構材に取り付けた状態の断面図である。
【００４２】
この断熱マット取付具６は、雄取付具６ａに形成したフック部６０が、一方の片６１の先端を上面側に折り返すことで形成され、又、雄取付具６ａの断熱マット１への取り付け手段として、他方の片６２に突き刺し針部を形成せず、ビス穴６３及び２個の長穴６４，６４間に形成したタッカー留め部６５を形成している。
なお、雌取付具６ｂは、前記第２実施例のものと同様に形成されている。
【００４３】
本発明において、断熱マット取付具の具体的構造は種々あり、本実施例での説明以外の構造でも可能であり、本実施例に限定されるものではない。
また、消音のための樹脂系コーティングは特に材質の制限はないが、条件によっては１００℃近くまで温度が上がるので、この場合は耐熱性に配慮した材質の選定が必要であり、さらに、コーティングを雄取付具と雌取付具のどちら（あるいは両方）に行うかは、嵌合構造と、樹脂プリコート鋼板を用いるか、または、取付具成型後の樹脂後コートを採用するかも加味して、コストが低く金属接触が回避できる構成に決定する。
又、実施例では、雄取付具を断熱マットに取り付け、雌取付具を垂木に取り付けたが、その逆に、雌取付具を断熱マットに取り付け、雄取付具を垂木に取り付けるようにしてもよい。
【００４４】
【発明の効果】
以上のように、本発明の断熱マット取付具を用いれば、障害物が多くあり、時としては高所作業となる屋根裏断熱工事の安全性や作業性が向上し、施工自由度が高く、狭い空間での容易な断熱マットの取り付けが可能で、迅速で効果の高い断熱施工が実施できる。
つまり、夏場の室温上昇対策が安価に、かつ、容易に実施可能で、また、既存の家屋に後施工断熱することも容易になる等の利点もある。
このように、本発明によれば、特に冷房負荷の低減に非常に有効な夏季の日中の断熱が、簡易、かつ安全で安価に達成でき、また、地球環境を守るために重要テーマとなっている住宅の高断熱化による省エネルギーに大きく貢献できるものである。
【図面の簡単な説明】
【図１】断熱マット取付具の第１実施例を示す斜視図である。
【図２】この断熱マット取付具を用いて断熱マットを屋根架構材に取り付けた状態の断面図である。
【図３】断熱マット取付具の第２実施例を示す斜視図である。
【図４】この断熱マット取付具を用いて断熱マットを屋根架構材に取り付けた状態の断面図である。
【図５】断熱マット取付具の第３実施例を示す斜視図である。
【図６】この断熱マット取付具を用いて断熱マットを屋根架構材に取り付けた状態の断面図である。
【図７】断熱マット取付具の第４実施例を示す斜視図である。
【図８】この断熱マット取付具を用いて断熱マットを屋根架構材に取り付けた状態の断面図である。
【符号の説明】
１  断熱マット
１０  シート
１１  シート張出部
１２  支持材
１７  コ状針
２  断熱マット取付具
２０  片
２１  防止爪
２２  針部
２３  片
２４  ビス穴（取付手段）
２５  長穴
２６  タッカー留め部（取付手段）
３  断熱マット取付具
３ａ  雄取付具
３ｂ  雌取付具
３０  片
３１  戻り防止爪
３２  突き刺し針部
３３  片
３４  フック部
３５  ビス穴（取付手段）
３６  長穴
３７  タッカー留め部（取付手段）
３８  片
３９  ビス穴（取付手段）
４０  タッカー留め部（取付手段）
４１  片
４２  受け部
４３  樹脂コーティング
５  断熱マット取付具
５ａ  雄取付具
５ｂ  雌取付具
５０  押え片
５１  差し込み部
５２  ビス穴（取付手段）
５３  タッカー留め部（取付手段）
５４  突き刺し針部
６  断熱マット取付具
６ａ  雄取付具
６ｂ  雌取付具
６０  フック部
６１  片
６２  片
６３  ビス穴（取付手段）
６４  長穴
６５  タッカー留め部（取付手段）
９  垂木（屋根架構材）
９ａ  下面
９０  屋根裏面
Ｓ  空隙
Ｓ１  空隙
【図１】
2004346658.tif 000003
【図２】
2004346658.tif 000004
【図３】
2004346658.tif 000005
【図４】
2004346658.tif 000006
【図５】
2004346658.tif 000007
【図６】
2004346658.tif 000008
【図７】
2004346658.tif 000009
【図８】
2004346658.tif 000010
【手続補正書】
【提出日】平成15年6月18日(2003.6.18)
【手続補正１】
【補正対象書類名】明細書
【補正対象項目名】請求項２
【補正方法】変更
【補正の内容】
【請求項２】
パネル状断熱構造体を形成した断熱マットを家の屋根架構材に取り付けるための断熱マット取付具であって、
雄取付具と雌取付具の組み合わせで形成され、
雄取付具と雌取付具のいずれか一方を断熱マットに取り付け、他方を家の屋根架構材に取り付けて、この雄取付具と雌取付具の嵌め合いによって断熱マットを屋根架構材に取り付けるようにしたことを特徴とする断熱マット取付具。
【手続補正２】
【補正対象書類名】明細書
【補正対象項目名】００２７
【補正方法】変更
【補正の内容】
【００２７】
また、断熱マット取付具の取り付け状態や、対象となる断熱マットの素材や取り付け方向、および、屋根架構材の堅さなどが千差万別なので、簡易迅速な取り付け機構と、少し手間はかかっても確実な取り付け機構を併存させ、状況に応じてこれらを選択・使い分けられるようにすると施工効率を高くすることができる。
例えば、断熱マットへの断熱マット取付具（雌雄どちらでもよい）の接合を、常用は戻り防止爪付きの針を用いた人手による突き刺しで行い、斜め取り付けや大きな外力が掛かることが予想される部位では、ビスで取り付けを行うことができるようにビス穴を併存させる。
また、断熱マット取付具の屋根架構材への取り付けにおいても、通常はコ状針の打ち込み（市場ではタッカーと称す）で行える構成とし、堅い木材や節上に取り付けが必要な場合には、ビスで取り付けができるようにビス穴を併存させるなど、複数の取り付け機構を取付具に併存させて、状況に応じて取り付け方法を選択できることの効果は大きい。